【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
弾性成分または材料を含む圧迫製品であって、前記弾性成分または材料は、好ましくは遅延性の連続的な弛緩挙動を有し、
前記弾性材料は、圧迫力または支持力または局所圧力を被験者の身体の一部分に加えることができ、
前記弾性材料はさらに、その間に前記材料が拡張される第１フェーズ、その間に前記成分または材料がその元の形状を回復することなく弛緩する第２フェーズ、およびその間に前記成分または材料がその元の形状を連続的に減速しながら回復する第３フェーズを経ることができ、
ここで、弛緩は、自ら開始される、好ましくは外部刺激の不在下で自律的または自発的に開始される、圧迫製品。
【請求項２】
好ましくは請求項１に記載の圧迫製品であって、
（ａ）Ｎ−ジオールを含有する非四級化ポリウレタン（ＰＵ）ポリマー（ＰＵ−Ｎ）；
および／または
（ｂ）四級化Ｎ−ジオールを含有する四級化ポリウレタン（ＰＵ）ポリマーまたはイオノマー（ＰＵ−Ｎ＋）；
および、必要に応じて、
（ｃ）エラスタン
を含むまたはそれからなる弾性成分または材料を含む、圧迫製品。
【請求項３】
好ましくは医療用圧迫製品、より好ましくは、圧迫靴下、好ましくは圧迫ストッキング、ソックス、ニーソックス、タイツ、パンティストッキング、またはマタニティパンティストッキング、圧迫膝当て、圧迫アームスリーブ、圧迫ウエストアタッチメント、ベルトまたはガードル、圧迫包帯、身体支持包帯、補装具、人工装具のライナー、圧迫創傷被覆材、圧迫プラスターまたはパッチ、および圧迫衣類からなる群から選択される、請求項１または２に記載の圧迫製品。
【請求項４】
非四級化ＰＵポリマーと、必要に応じて、エラスタンを含むかまたはそれからなる弾性成分または材料を含む、請求項１〜３のいずれか一項に記載の圧迫製品。
【請求項５】
静脈学、整形外科、フットケア、外科手術、術後ケア、外傷管理、創傷ケア、またはスポーツの分野における使用のための、あるいは、ムスコ−ヴェノス（ｍｕｓｃｏ−ｖｅｎｏｕｓ）ポンプ機能障害、静脈循環不全、静脈不全、好ましくは慢性静脈不全、浮腫、静脈炎、血栓症、好ましくは深部静脈血栓症、静脈塞栓症、リンパ浮腫、潰瘍、好ましくは下腿の潰瘍、脚の疼痛、静脈瘤、くも状静脈、または「エコノミークラス症候群」（ＥＣＳ）の処置または予防または管理のための、請求項１〜４のいずれか一項に記載の圧迫製品。
【請求項６】
弛緩が自ら開始される、好ましくは外部刺激の不在下で自律的または自発的に開始される、遅延性の連続的な弛緩挙動を有するポリウレタン（ＰＵ）ポリマー。
【請求項７】
好ましくは請求項６に記載のＮ−ジオールを含有するポリウレタン（ＰＵ）ポリマーであって、前記ＰＵポリマーが、少なくとも１つのＮ−ジオールモノマー成分、好ましくは２またはそれを超える、より好ましくは数個または多数のＮ−ジオールモノマー成分を含有する、ポリウレタン（ＰＵ）ポリマー。
【請求項８】
非四級化ＰＵポリマー（ＰＵ−Ｎ）である、請求項７に記載のポリウレタン（ＰＵ）ポリマー。
【請求項９】
四級化ＰＵポリマー（ＰＵ−Ｎ＋）または四級化ＰＵイオノマー（ＰＵ−Ｎ＋）である、請求項７に記載のポリウレタン（ＰＵ）ポリマー。
【請求項１０】
前記Ｎ−ジオールモノマー成分が、ビス（２−ヒドロキシエチル）−３，３’−（（２−（ジメチルアミノ）エチル）アザンジイル）−ジプロピオネートまたはＮ’，Ｎ’−ビス（３−（２−ヒドロキシエトキシ）−３−オキソプロピル）−Ｎ，Ｎ−ジメチルエチレンジアミンに由来する、請求項７から９のいずれか一項に記載のポリウレタン（ＰＵ）ポリマー。
【請求項１１】
Ｎ−ジオールモノマー成分とイソシアネートモノマー成分からなる第１の分子単位、１，４−ブタンジオールモノマー成分とイソシアネートモノマー成分からなる第２の分子単位、およびＰ（ＴＨＦ）モノマー成分とイソシアネート成分からなる第３の分子単位を含むまたはそれからなる、請求項７から１０のいずれか一項に記載のポリウレタン（ＰＵ）ポリマー。
【請求項１２】
Ｎ−ジオール、Ｐ（ＴＨＦ）および１，４−ブタンジオールモノマー成分の相対量が、約５０：２５：２５％である、請求項１１に記載のポリウレタン（ＰＵ）ポリマー。
【請求項１３】
前記四級化ＰＵポリマーまたはイオノマーが、前記ＰＵポリマーの総モル数に対して、最大約１５％、好ましくは約１、２、または３〜１０％の間、より好ましくは約４〜１０％の間、さらにより好ましくは約３〜７％の間、または約７〜１１％の間、さらにより好ましくは約４〜６％の間、または約８〜１０％の間、最も好ましくは約５％、または約９％のイオン基の四級化Ｎ含有基量を含む、請求項９から１２のいずれか一項に記載のポリウレタン（ＰＵ）ポリマー。
【請求項１４】
ガラス転移温度Ｔｇが、約２０〜６０℃の間、好ましくは約３０〜５０℃の間、より好ましくは約３５〜４５℃の間、最も好ましくは約４０℃である、請求項８および１０から１２のいずれか一項に記載のポリウレタン（ＰＵ）ポリマー。
【請求項１５】
（ａ）Ｎ−ジオールを含有する非四級化ポリウレタン（ＰＵ）ポリマー（ＰＵ−Ｎ）；
および／または
（ｂ）四級化Ｎ−ジオールを含有する四級化ポリウレタン（ＰＵ）ポリマーまたはイオノマー（ＰＵ−Ｎ＋）；
および
（ｃ）エラスタン
を含むまたはそれからなるブレンド。
【請求項１６】
約５〜４０％（重量による）の間の非四級化ＰＵポリマーと、約６０〜９５％（重量による）の間のエラスタンを含むまたはそれからなる、請求項１５に記載のブレンド。
【請求項１７】
圧迫製品、弾性成分または材料、弾性繊維、フィラメント、スレッド糸、またはヤーン糸、または圧縮基布を製造するためのプロセスにおける、請求項７から１４のいずれか一項に記載のポリウレタン（ＰＵ）ポリマーの使用、または請求項１５または１６に記載のブレンドの使用。
【請求項１８】
Ｎ−ジオールを含有するポリウレタン（ＰＵ）ポリマーを製造するためのプロセスであって、前記ＰＵポリマーが、少なくとも１つのＮ−ジオールモノマー成分、好ましくは２またはそれを超える、より好ましくは数個または多数のＮ−ジオールモノマー成分を含有し、
（ｉ）四級化可能なＮ−ジオールを調製するステップと；
（ｉｉ）ステップ（ｉ）で作製した四級化可能なＮ−ジオールを含有するＰＵポリマーを調製するステップと；
必要に応じて、
（ｉｉｉ）ステップ（ｉｉ）で作製した前記ＰＵポリマーを四級化するステップと
を含む、プロセス。
【請求項１９】
前記Ｎ−ジオールモノマー成分が、ビス（２−ヒドロキシエチル）−３，３’−（（２−（ジメチルアミノ）エチル）アザンジイル）−ジプロピオネートまたはＮ’，Ｎ’−ビス（３−（２−ヒドロキシエトキシ）−３−オキソプロピル）−Ｎ，Ｎ−ジメチルエチレンジアミンに由来する、請求項１８に記載のプロセス。
【請求項２０】
請求項１８または１９に記載のプロセスに従って製造された、Ｎ−ジオールを含有するポリウレタン（ＰＵ）ポリマー。
【手続補正２】
【補正対象書類名】明細書
【補正対象項目名】０１４２
【補正方法】変更
【補正の内容】
【０１４２】
最後に、本発明は、特定の態様の実施形態に関して上に記載したような個々の特徴またはその組合せを、別の記載された態様下の実施形態でも同様に実現可能と考える。そのような実施形態は、本願の全内容から直接的かつ明確に導き出すことができ、当業者は、そのような実施形態が出願時の本願の内容に属することを理解するであろう。
特定の実施形態では、例えば、以下が提供される：
（項目１）
弾性成分または材料を含む圧迫製品であって、前記弾性成分または材料は、好ましくは遅延性の連続的な弛緩挙動を有し、
前記弾性材料は、圧迫力または支持力または局所圧力を被験者の身体の一部分に加えることができ、
前記弾性材料はさらに、その間に前記材料が拡張される第１フェーズ、その間に前記成分または材料がその元の形状を回復することなく弛緩する第２フェーズ、およびその間に前記成分または材料がその元の形状を連続的に減速しながら回復する第３フェーズを経ることができ、
ここで、弛緩は、自ら開始される、好ましくは外部刺激の不在下で自律的または自発的に開始される、圧迫製品。
（項目２）
好ましくは項目１に記載の圧迫製品であって、
（ａ）Ｎ−ジオールを含有する非四級化ポリウレタン（ＰＵ）ポリマー（ＰＵ−Ｎ）；
および／または
（ｂ）四級化Ｎ−ジオールを含有する四級化ポリウレタン（ＰＵ）ポリマーまたはイオノマー（ＰＵ−Ｎ＋）；
および、必要に応じて、
（ｃ）エラスタン
を含むまたはそれからなる弾性成分または材料を含む、圧迫製品。
（項目３）
好ましくは医療用圧迫製品、より好ましくは、圧迫靴下、好ましくは圧迫ストッキング、ソックス、ニーソックス、タイツ、パンティストッキング、またはマタニティパンティストッキング、圧迫膝当て、圧迫アームスリーブ、圧迫ウエストアタッチメント、ベルトまたはガードル、圧迫包帯、身体支持包帯、補装具、人工装具のライナー、圧迫創傷被覆材、圧迫プラスターまたはパッチ、および圧迫衣類からなる群から選択される、項目１または２に記載の圧迫製品。
（項目４）
非四級化ＰＵポリマーと、必要に応じて、エラスタンを含むかまたはそれからなる弾性成分または材料を含む、項目１〜３のいずれか一項に記載の圧迫製品。
（項目５）
静脈学、整形外科、フットケア、外科手術、術後ケア、外傷管理、創傷ケア、またはスポーツの分野における、あるいは、ムスコ−ヴェノス（ｍｕｓｃｏ−ｖｅｎｏｕｓ）ポンプ機能障害、静脈循環不全、静脈不全、好ましくは慢性静脈不全、浮腫、静脈炎、血栓症、好ましくは深部静脈血栓症、静脈塞栓症、リンパ浮腫、潰瘍、好ましくは下腿の潰瘍、脚の疼痛、静脈瘤、くも状静脈、または「エコノミークラス症候群」（ＥＣＳ）の処置または予防または管理のための、項目１〜４のいずれか一項に記載の圧迫製品の使用。
（項目６）
弛緩が自ら開始される、好ましくは外部刺激の不在下で自律的または自発的に開始される、遅延性の連続的な弛緩挙動を有するポリウレタン（ＰＵ）ポリマー。
（項目７）
好ましくは項目６に記載のＮ−ジオールを含有するポリウレタン（ＰＵ）ポリマーであって、前記ＰＵポリマーが、少なくとも１つのＮ−ジオールモノマー成分、好ましくは２またはそれを超える、より好ましくは数個または多数のＮ−ジオールモノマー成分を含有する、ポリウレタン（ＰＵ）ポリマー。
（項目８）
非四級化ＰＵポリマー（ＰＵ−Ｎ）である、項目７に記載のポリウレタン（ＰＵ）ポリマー。
（項目９）
四級化ＰＵポリマー（ＰＵ−Ｎ＋）または四級化ＰＵイオノマー（ＰＵ−Ｎ＋）である、項目７に記載のポリウレタン（ＰＵ）ポリマー。
（項目１０）
前記Ｎ−ジオールモノマー成分が、ビス（２−ヒドロキシエチル）−３，３’−（（２−（ジメチルアミノ）エチル）アザンジイル）−ジプロピオネートまたはＮ’，Ｎ’−ビス（３−（２−ヒドロキシエトキシ）−３−オキソプロピル）−Ｎ，Ｎ−ジメチルエチレンジアミンに由来する、項目７から９のいずれか一項に記載のポリウレタン（ＰＵ）ポリマー。
（項目１１）
Ｎ−ジオールモノマー成分とイソシアネートモノマー成分からなる第１の分子単位、１，４−ブタンジオールモノマー成分とイソシアネートモノマー成分からなる第２の分子単位、およびＰ（ＴＨＦ）モノマー成分とイソシアネート成分からなる第３の分子単位を含むまたはそれからなる、項目７から１０のいずれか一項に記載のポリウレタン（ＰＵ）ポリマー。
（項目１２）
Ｎ−ジオール、Ｐ（ＴＨＦ）および１，４−ブタンジオールモノマー成分の相対量が、約５０：２５：２５％である、項目１１に記載のポリウレタン（ＰＵ）ポリマー。
（項目１３）
前記四級化ＰＵポリマーまたはイオノマーが、前記ＰＵポリマーの総モル数に対して、最大約１５％、好ましくは約１、２、または３〜１０％の間、より好ましくは約４〜１０％の間、さらにより好ましくは約３〜７％の間、または約７〜１１％の間、さらにより好ましくは約４〜６％の間、または約８〜１０％の間、最も好ましくは約５％、または約９％のイオン基の四級化Ｎ含有基量を含む、項目９から１２のいずれか一項に記載のポリウレタン（ＰＵ）ポリマー。
（項目１４）
ガラス転移温度Ｔｇが、約２０〜６０℃の間、好ましくは約３０〜５０℃の間、より好ましくは約３５〜４５℃の間、最も好ましくは約４０℃である、項目８および１０から１２のいずれか一項に記載のポリウレタン（ＰＵ）ポリマー。
（項目１５）
（ａ）Ｎ−ジオールを含有する非四級化ポリウレタン（ＰＵ）ポリマー（ＰＵ−Ｎ）；
および／または
（ｂ）四級化Ｎ−ジオールを含有する四級化ポリウレタン（ＰＵ）ポリマーまたはイオノマー（ＰＵ−Ｎ＋）；
および
（ｃ）エラスタン
を含むまたはそれからなるブレンド。
（項目１６）
約５〜４０％（重量による）の間の非四級化ＰＵポリマーと、約６０〜９５％（重量による）の間のエラスタンを含むまたはそれからなる、項目１５に記載のブレンド。
（項目１７）
圧迫製品、弾性成分または材料、弾性繊維、フィラメント、スレッド糸、またはヤーン糸、または圧縮基布を製造するためのプロセスにおける、項目７から１４のいずれか一項に記載のポリウレタン（ＰＵ）ポリマーの使用、または項目１５または１６に記載のブレンドの使用。
（項目１８）
Ｎ−ジオールを含有するポリウレタン（ＰＵ）ポリマーを製造するためのプロセスであって、前記ＰＵポリマーが、少なくとも１つのＮ−ジオールモノマー成分、好ましくは２またはそれを超える、より好ましくは数個または多数のＮ−ジオールモノマー成分を含有し、
（ｉ）四級化可能なＮ−ジオールを調製するステップと；
（ｉｉ）ステップ（ｉ）で作製した四級化可能なＮ−ジオールを含有するＰＵポリマーを調製するステップと；
必要に応じて、
（ｉｉｉ）ステップ（ｉｉ）で作製した前記ＰＵポリマーを四級化するステップと
を含む、プロセス。
（項目１９）
前記Ｎ−ジオールモノマー成分が、ビス（２−ヒドロキシエチル）−３，３’−（（２−（ジメチルアミノ）エチル）アザンジイル）−ジプロピオネートまたはＮ’，Ｎ’−ビス（３−（２−ヒドロキシエトキシ）−３−オキソプロピル）−Ｎ，Ｎ−ジメチルエチレンジアミンに由来する、項目１８に記載のプロセス。
（項目２０）
項目１８または１９に記載のプロセスに従って製造された、Ｎ−ジオールを含有するポリウレタン（ＰＵ）ポリマー。